(57)【要約】【課題】バッグ容器に流体製品を充填した後に、充填ヘッド内及びバッグ容器の注入口内の残留物を短時間で完全に除去する。【解決手段】バッグ容器の注入口の先端に充填ヘッドを当接させ、充填ヘッド内及びバッグ容器注入口の第１メンブレン外面をスチーム殺菌した後、前記第１メンブレンを切り裂いて流体製品をバッグ容器内に充填し、充填ヘッドにＮ２ガスを流しながらバッグ容器の注入口を第２メンブレンの全周溶着によりシールし、さらにその後に、充填ヘッド内及びバッグ容器の注入口内を、温水洗浄→エアーフラッシング→温水洗浄→スチームフラッシングの順で洗浄及びフラッシングする。【選択図】図５
2006188251.tif 000002
【特許請求の範囲】
【請求項１】
バッグ本体の一部に、基端部を前記バッグ本体に設けられた注入口取付孔に嵌合されて前記バッグ本体に気密状態に溶着された筒状の口部材と、前記口部材の先端の開口面を密閉する第１メンブレンと、前記口部材の基端面に外周部の複数箇所を仮溶着された第２メンブレンとからなる製品注入口が設けられたバッグ容器に流体製品を充填する方法において、
前記バッグ容器の注入口の先端面に気密状態に当接する環状の注入口当接部と、前記注入口当接部により囲まれた端面に開口する第１の空室と、前記第１の空室に弁部を介して連通する第２の空室とを有し、内部に、前記弁部を開閉する弁部材と前記バッグ容器の注入口の第１メンブレンを切り裂くメンブレンカッタが設けられた充填ヘッドを前記バッグ容器の注入口の先端に当接させ、
前記充填ヘッドの弁部を閉塞した状態で前記充填ヘッドの第１の空室に殺菌用スチームを流して前記第１の空室内及び前記バッグ容器の注入口の第１メンブレンの外面をスチーム殺菌し、次いで前記メンブレンカッタにより前記第１メンブレンを切り裂いた後に、前記充填ヘッドの弁部を開放し、前記充填ヘッドの第２の空室に流体製品を供給してその流体製品を前記バッグ容器内に充填し、その後に前記充填ヘッドの弁部を閉塞して、前記バッグ容器の注入口を前記口部材の基端面への前記第２メンブレンの全周溶着によりシールし、
さらにその後に、前記充填ヘッドの第１の空室に洗浄用水を流して前記第１の空室内及び前記バッグ容器の注入口内を洗浄し、次いで前記充填ヘッドの第１の空室に前記殺菌用スチームを流して前記第１の空室内及び前記バッグ容器の注入口内を除菌エアーまたはスチームによりフラッシングすることを特徴とするバッグ容器用製品充填方法。
【請求項２】
充填ヘッドの第１の空室内及びバッグ容器の注入口内の洗浄とフラッシングを少なくとも２回以上繰返すことを特徴とする請求項１に記載のバッグ容器用製品充填方法。
【請求項３】
バッグ容器に流体製品を充填した後の注入口シールを、充填ヘッドの第１の空室に前記流体製品に対して無害な流体を流しながら行なうことを特徴とする請求項１に記載のバッグ容器用製品充填方法。
【請求項４】
注入口シール後の充填ヘッドの第１の空室内及びバッグ容器の注入口内の洗浄を、温水により行なうことを特徴とする請求項１〜３のいずれかに記載のバッグ容器用製品充填方法。
【請求項５】
バッグ本体の一部に、基端部を前記バッグ本体に設けられた注入口取付孔に嵌合されて前記バッグ本体に気密状態に溶着された筒状の口部材と、前記口部材の先端の開口面を密閉する第１メンブレンと、前記口部材の基端面に外周部の複数箇所を仮溶着された第２メンブレンとからなる製品注入口が設けられたバッグ容器に流体製品を充填するための充填装置において、
前記バッグ容器の注入口の先端面に気密状態に当接する環状の注入口当接部と、前記注入口当接部により囲まれた端面に開口する第１の空室と、前記第１の空室に弁部を介して連通する第２の空室とを有し、内部に、前記弁部を開閉する弁部材と前記バッグ容器の注入口の第１メンブレンを切り裂くメンブレンカッタが設けられた充填ヘッドと、前記充填ヘッドの第１の空室内に殺菌用スチームと洗浄用温水とを選択的に供給する殺菌／洗浄系と、前記第１の空室内に供給された流体を排出する供給流体排出管と、前記充填ヘッドの第２の空室内に流体製品を供給する製品供給系とを備え、
前記殺菌／洗浄系は、スチーム供給管と、前記スチーム供給管からの殺菌用スチームを水との熱交換により凝縮して温水化する凝縮器と、前記凝縮器に水を供給する水供給管と、前記スチーム供給管からの殺菌用スチーム及び前記凝縮器からの温水を前記充填ヘッドの第１の空室内に供給する流体供給管とからなっていることを特徴とするバッグ容器用製品充填装置。
【請求項６】
凝縮器は、一端にスチーム入口が設けられ、他端に温水出口が設けられるとともに、内部に水を通すための注水口と排水口が設けられたケーシングと、前記ケーシング内に、一端を前記スチーム入口に連通させ、他端を前記温水出口に連通させて設けられた熱伝導性を有する複数本のスチーム通し管とからなっていることを特徴とする請求項５に記載のバッグ容器用製品充填装置。
【請求項７】
充填ヘッドの第１の空室内に除菌エアーを供給するエアー供給系をさらに備えたことを特徴とする請求項５または６に記載のバッグ容器用製品充填装置。
【発明の詳細な説明】
【技術分野】
【０００１】
この発明は、製品注入口が設けられたバッグ容器に流体製品を充填するためのバッグ容器用製品充填方法及び充填装置に関する。
【背景技術】
【０００２】
流体製品の容器として、第１と第２の２枚のメンブレンを有する製品注入口を備え、前記注入口の第１メンブレンを切り裂かれて内部に流体製品を充填され、その後に、第２メンブレンにより前記注入口をシールされるバッグ容器がある。
【０００３】
図７は前記バッグ容器の断面図であり、（ａ）は製品充填前の状態、（ｂ）は製品充填中の状態、（ｃ）は注入口シール後の状態を示している。
【０００４】
このバッグ容器１は、気密性を有するバッグ本体２の一部に製品注入口３を設けたものであり、バッグ本体２は、一対のシート状バッグ材２ａ，２ｂの外周部をその全周にわたって溶着した構成となっている。
【０００５】
なお、図では、一対のバッグ材２ａ，２ｂを簡略化して示しているが、これらのバッグ材２ａ，２ｂは、例えば２枚の樹脂シートをその間に断熱空間を設けて重ねた二重シートからなっている。
【０００６】
また、前記製品注入口３は、前記バッグ本体２内に基端を挿入されてバッグ本体２に気密状態に溶着された筒状の口部材４と、前記口部材４の先端の開口面を密閉する第１メンブレン５と、前記口部材４の基端面に外周部の複数箇所を仮溶着された第２メンブレン６とからなっている。
【０００７】
前記口部材４は、例えばポリエチレン成形品からなっており、その基端の外周にバッグ本体溶着板部４ａが形成され、先端の外周にフランジ部４ｂが形成されている。
【０００８】
また、前記第１と第２の２枚のメンブレン５，６はそれぞれ樹脂フィルムからなっており、第１メンブレン５は、その外周部の全周を前記口部材４の先端面に溶着されて口部材４の先端の開口面を密閉し、第２メンブレン６は、その外周部の複数箇所を口部材４の基端面に仮溶着され、口部材４に対する非溶着部と前記口部材４の基端面との間に製品流入部を形成している。
【０００９】
前記製品注入口３は、その口部材４の基端部を前記バッグ本体２の一方のバッグ材２ａの一部に設けられた注入口取付孔７に嵌合され、この口部材４の基端のバッグ本体溶着板部４ａの全周をバッグ材２ａの内面に溶着されて前記一方のバッグ材２ａに取付けられている。
【００１０】
このバッグ容器１は、主に、酒類、果汁、果肉等の流体飲食品や流体医薬品のような大気中の細菌により変質劣化する流体製品の容器に利用されており、γ線照射等によりバッグ本体２内及び製品注入口３内（口部材４１内の第１と第２のメンブレン５，６間の空間）を殺菌された状態で流体製品の充填ラインに搬入される。
【００１１】
このバッグ容器１への流体製品の充填は、充填ヘッドと、前記充填ヘッドに殺菌用流体を供給する殺菌系と、前記充填ヘッドに供給された流体を排出する排出管と、前記充填ヘッドに流体製品を供給する製品供給系とを備えたバッグ容器用充填装置により行なわれている（特許文献１参照）。
【００１２】
すなわち、前記バッグ容器１への流体製品の充填は、前記充填ヘッドをバッグ容器１の注入口３の先端に当接させた状態で、まず充填ヘッド内及びバッグ容器１の注入口３の第１メンブレン５の外面を殺菌用流体により殺菌した後、前記充填ヘッド内に設けられたメンブレンカッタにより前記第１メンブレン５を切り裂いて、図７（ｂ）のように流体製品Ａを前記注入口３の口部材４内及び第２メンブレン６の非溶着部を通してバッグ容器１内に充填し、その後に、前記充填ヘッドに対向させて配置されたシールヘッドにより、前記バッグ容器１の注入口３に対応する部分を前記注入口３を設けた側とは反対側から押し潰して前記注入口３の第２メンブレン６の外周部を口部材４の基端面に押し付けて前記第２メンブレン６の全周を口部材４の基端面に溶着することにより注入口３をシールし、前記充填ヘッド内及びバッグ容器１の注入口３内（基端の開口面を第２メンブレン６によりシールされた口部材４内）を殺菌用流体によりフラッシングする方法で行なわれており、流体製品Ａを充填されたバッグ容器１は、注入口３のシール及びフラッシング後に、前記シールヘッドを後退させるとともに充填ヘッドを注入口３から切離して搬出されている。
【特許文献１】特公平６―８８５８５号公報
【発明の開示】
【発明が解決しようとする課題】
【００１３】
上記バッグ容器１への流体製品Ａの充填において、バッグ容器１に流体製品Ａを充填した後の殺菌用流体によるフラッシングは、前記充填ヘッド内及びバッグ容器１の注入口内に残留した流体製品を除去して清浄化するために行なわれている。
【００１４】
しかし、前記バッグ容器１の注入口３内には、流体製品Ａの充填に先立って切り裂かれた第１メンブレン５が図７（ｃ）のように残っており、この第１メンブレン５によりフラッシング流体の流れが妨げられるため、殺菌用流体によるフラッシングでバッグ容器１の注入口３内の残留物も完全に除去するには、長時間のフラッシングを行なわなければならず、充填効率を大きく低下させてしまう。
【００１５】
この発明は、バッグ容器に流体製品を充填した後に、充填ヘッド内及びバッグ容器の注入口内の残留物を短時間で完全に除去することができるバッグ容器用製品充填方法及び充填装置を提供することを目的としたものである。
【課題を解決するための手段】
【００１６】
この発明のバッグ容器用製品充填方法は、バッグ本体の一部に、基端部を前記バッグ本体に設けられた注入口取付孔に嵌合されて前記バッグ本体に気密状態に溶着された筒状の口部材と、前記口部材の先端の開口面を密閉する第１メンブレンと、前記口部材の基端面に外周部の複数箇所を仮溶着された第２メンブレンとからなる製品注入口が設けられたバッグ容器に流体製品を充填する方法において、前記バッグ容器の注入口の先端面に気密状態に当接する環状の注入口当接部と、前記注入口当接部により囲まれた端面に開口する第１の空室と、前記第１の空室に弁部を介して連通する第２の空室とを有し、内部に、前記弁部を開閉する弁部材と前記バッグ容器の注入口の第１メンブレンを切り裂くメンブレンカッタが設けられた充填ヘッドを前記バッグ容器の注入口の先端に当接させ、前記充填ヘッドの弁部を閉塞した状態で前記充填ヘッドの第１の空室に殺菌用スチームを流して前記第１の空室内及び前記バッグ容器の注入口の第１メンブレンの外面をスチーム殺菌し、次いで前記メンブレンカッタにより前記第１メンブレンを切り裂いた後に、前記充填ヘッドの弁部を開放し、前記充填ヘッドの第２の空室に流体製品を供給してその流体製品を前記バッグ容器内に充填し、その後に前記充填ヘッドの弁部を閉塞して、前記バッグ容器の注入口を前記口部材の基端面への前記第２メンブレンの全周溶着によりシールし、さらにその後に、前記充填ヘッドの第１の空室に洗浄用水を流して前記第１の空室内及び前記バッグ容器の注入口内を洗浄し、次いで前記充填ヘッドの第１の空室に前記殺菌用スチームを流して前記第１の空室内及び前記バッグ容器の注入口内を除菌エアーまたはスチームによりフラッシングすることを特徴とする。
【００１７】
この充填方法において、前記充填ヘッドの第１の空室内及びバッグ容器の注入口内の洗浄とフラッシングは、少なくとも２回以上繰返すのが望ましい。
【００１８】
また、この充填方法において、前記バッグ容器に流体製品を充填した後の注入口シールは、前記充填ヘッドの第１の空室に前記流体製品に対して無害な流体を流しながら行なうのが好ましい。
【００１９】
さらに、この充填方法において、前記注入口シール後の前記充填ヘッドの第１の空室内及び前記バッグ容器の注入口内の洗浄は、温水により行なうのが好ましい。
【００２０】
この発明のバッグ容器用製品充填装置は、前記バッグ容器の注入口の先端面に気密状態に当接する環状の注入口当接部と、前記注入口当接部により囲まれた端面に開口する第１の空室と、前記第１の空室に弁部を介して連通する第２の空室とを有し、内部に、前記弁部を開閉する弁部材と前記バッグ容器の注入口の第１メンブレンを切り裂くメンブレンカッタが設けられた充填ヘッドと、前記充填ヘッドの第１の空室内に殺菌用スチームと洗浄用温水とを選択的に供給する殺菌／洗浄系と、前記第１の空室内に供給された流体を排出する供給流体排出管と、前記充填ヘッドの第２の空室内に流体製品を供給する製品供給系とを備え、前記殺菌／洗浄系を、スチーム供給管と、前記スチーム供給管からの殺菌用スチームを水との熱交換により凝縮して温水化する凝縮器と、前記凝縮器に水を供給する水供給管と、前記スチーム供給管からの殺菌用スチーム及び前記凝縮器からの温水を前記充填ヘッドの第１の空室内に供給する流体供給管とにより構成したことを特徴とする。
【００２１】
この充填装置において、前記凝縮器は、一端にスチーム入口が設けられ、他端に温水出口が設けられるとともに、内部に水を通すための注水口と排水口が設けられたケーシングと、前記ケーシング内に、一端を前記スチーム入口に連通させ、他端を前記温水出口に連通させて設けられた熱伝導性を有する複数本のスチーム通し管とからなる構成のものが望ましい。
【００２２】
また、この充填装置は、前記充填ヘッドの第１の空室内に除菌エアーを供給するエアー供給系をさらに備えているのが望ましい。
【発明の効果】
【００２３】
この発明のバッグ容器用製品充填方法は、前記充填ヘッドを前記バッグ容器の注入口の先端に当接させ、前記充填ヘッドの弁部を閉塞した状態で前記充填ヘッドの第１の空室に殺菌用スチームを流して前記第１の空室内及び前記バッグ容器の注入口の第１メンブレンの外面をスチーム殺菌し、次いで前記メンブレンカッタにより前記第１メンブレンを切り裂いた後に、前記充填ヘッドの弁部を開放し、前記充填ヘッドの第２の空室に流体製品を供給してその流体製品を前記バッグ容器内に充填し、その後に前記充填ヘッドの弁部を閉塞して、前記バッグ容器の注入口を前記口部材の基端面への前記第２メンブレンの全周溶着によりシールし、さらにその後に、前記充填ヘッドの第１の空室に洗浄用水を流して前記第１の空室内及び前記バッグ容器の注入口内を洗浄し、次いで前記充填ヘッドの第１の空室に前記殺菌用スチームを流して前記第１の空室内及び前記バッグ容器の注入口内を除菌エアーまたはスチームによりフラッシングするものであるため、前記バッグ容器に流体製品を充填した後に、充填ヘッド内及びバッグ容器の注入口内の残留物を短時間で完全に除去することができる。
【００２４】
この充填方法において、前記充填ヘッドの第１の空室内及びバッグ容器の注入口内の洗浄とフラッシングは、少なくとも２回以上繰返すのが望ましく、このようにすることにより、前記充填ヘッド内及びバッグ容器の注入口内の残留物をより完全に除去することができる。
【００２５】
また、この充填方法において、前記バッグ容器に流体製品を充填した後の注入口シールは、前記充填ヘッドの第１の空室に前記流体製品に対して無害な流体を流しながら行なうのが好ましく、このようにすることにより、前記第２メンブレンの全周を前記注入口の口部材の基端面に確実に溶着して前記注入口を高い信頼度でシールするとともに、前記水洗浄及びフラッシングによる残留物除去時間を短縮することができる。
【００２６】
また、この充填方法において、前記注入口シール後の前記充填ヘッドの第１の空室内及び前記バッグ容器の注入口内の洗浄は、温水により行なうのが好ましく、このようにすることにより、前記充填ヘッド内及びバッグ容器の注入口内の残留物をさらに短時間で完全に除去することができる。
【００２７】
この発明のバッグ容器用製品充填装置は、前記充填ヘッドと、この充填ヘッドの第１の空室内に殺菌用スチームと洗浄用温水とを選択的に供給する殺菌／洗浄系と、前記第１の空室内に供給された流体を排出する供給流体排出管と、前記充填ヘッドの第２の空室内に流体製品を供給する製品供給系とを備え、前記殺菌／洗浄系を、スチーム供給管と、前記スチーム供給管からの殺菌用スチームを水との熱交換により凝縮して温水化する凝縮器と、前記凝縮器に水を供給する水供給管と、前記スチーム供給管からの殺菌用スチーム及び前記凝縮器からの温水を前記充填ヘッドの第１の空室内に供給する流体供給管とにより構成したものであるため、前記バッグ容器に流体製品を充填した後に、前記充填ヘッドの第１の空室内及び前記バッグ容器の注入口内を、洗浄力の高い温水により洗浄するとともに、その後に前記殺菌用スチームによりフラッシングすることができ、したがって、前記バッグ容器に流体製品を充填した後に、充填ヘッド内及びバッグ容器の注入口内の残留物を短時間で完全に除去することができる。
【００２８】
しかも、この充填装置は、前記殺菌／洗浄系に、スチーム供給管からの殺菌用スチームを水との熱交換により凝縮して温水化する凝縮器を設けたものであるため、前記殺菌用スチームから洗浄用温水を得、無菌でしかも洗浄力に優れた高温の温水により前記充填ヘッド内及びバッグ容器の注入口内を洗浄することができるとともに、充填装置に付随する他の設備費を軽減することができる。
【００２９】
この充填装置において、前記凝縮器は、一端にスチーム入口が設けられ、他端に温水出口が設けられるとともに、内部に水を通すための注水口と排水口が設けられたケーシングと、前記ケーシング内に、一端を前記スチーム入口に連通させ、他端を前記温水出口に連通させて設けられた熱伝導性を有する複数本のスチーム通し管とからなる構成のものが望ましく、このような凝縮器を備えることにより、前記充填ヘッド内及びバッグ容器の注入口内の温水洗浄時に、前記スチーム供給管からの殺菌用スチームを連続的に温水化して前記充填ヘッドの第１の空室内に供給することができる。
【００３０】
また、この充填装置は、前記充填ヘッドの第１の空室内に除菌エアーを供給するエアー供給系をさらに備えているのが望ましく、このエアー供給系を備えることにより、前記充填ヘッドの第１の空室内及び前記バッグ容器の注入口内の温水洗浄後のフラッシングを、前記殺菌用スチームと除菌エアーのいずれでも行なうことができる。
【発明を実施するための最良の形態】
【００３１】
図１〜図５はこの発明の第１の実施例を示しており、図１はバッグ容器用製品充填装置の構成図である。
【００３２】
この充填装置は、充填ヘッド１０と、殺菌／洗浄系１９と、製品供給系３８とを備えている。
【００３３】
図２は前記充填ヘッド１０の断面図であり、この充填ヘッド１０は、図７に示したバッグ容器１の製品注入口３の先端面に気密状態に当接する環状の注入口当接部１１と、前記注入口当接部１１により囲まれた端面に開口する第１の空室１２と、前記第１の空室１２に弁部１３を介して連通する第２の空室１４と、前記弁部１３を開閉する弁部材１５と、前記バッグ容器１の注入口３の第１メンブレン５を切り裂くメンブレンカッタ１７とを有している。
【００３４】
前記弁部１３は垂直な円形孔であり、弁部材１５は前記円形孔の周面に気密状態に接する丸棒状部材からなっており、この弁部材１５の先端にメンブレンカッタ１７が設けられている。
【００３５】
前記弁部材１５は、充填ヘッド１０内に気密状態で上下方向にスライド可能に挿入されたロッド１６の先端に固定されており、図示しないロッド昇降機構により、弁部１３を閉塞するとともにメンブレンカッタ１７を前記第１の空室１２内に引込んだ位置（図２の位置）と、前記弁部１３を閉塞するとともに前記メンブレンカッタ１７を前記注入口当接部１１よりも下方に突出させた位置と、前記第２の空室１４内に引込まれて前記弁部１３を開放し、前記第１の空室１２と第２の空室１４とを連通させた位置とに移動される。
【００３６】
また、この充填ヘッド１０は、前記第２の空室１４よりも上側部分に前記ロッド１６の周囲を囲んで形成されたシールド室１８を有している。
【００３７】
さらに、この充填ヘッド１０には、前記第１の空室１２内に連通する流体供給口１２ａ及び流体排出口１２ｂと、前記第２の空室１４内に連通する流体製品供給口１４ａと、前記シールド室１８内に連通するスチーム供給口１８ａ及び排出口１８ｂが設けられている。
【００３８】
また、図では省略しているが、この充填ヘッド１０は、前記バッグ容器１の注入口３をクランプし、この注入口３を、その先端面を前記注入口当接部１１に押付けて充填ヘッド１０に固定する注入口固定機構を備えている。
【００３９】
前記殺菌／洗浄系１９は、前記充填ヘッド１０の第１の空室１２内に殺菌用スチームと洗浄用温水とを選択的に供給するものであり、この殺菌／洗浄系１９は、図１に示したように、図示しないボイラ等のスチーム源に接続されたスチーム供給管２０と、前記スチーム供給管２０からの殺菌用スチームを水との熱交換により凝縮して温水化する凝縮器２１と、前記凝縮器２１に水を供給する給水管３３と、前記スチーム供給管２０からの殺菌用スチーム及び凝縮器２１からの温水を前記充填ヘッド１０の第１の空室１２内に供給する流体供給管２９とからなっている。
【００４０】
図３及び図４は前記凝縮器２１の長さ方向及び径方向に沿う断面図であり、この凝縮器２１は、一端にスチーム入口２５ａが設けられ、他端に温水出口２５ｂが設けられるとともに、一端側と他端側の側部に内部に水を通すための注水口２６ａと排水口２６ｂが設けられた円筒状の密閉型ケーシング２２と、前記ケーシング２２内に、一端を前記スチーム入口２５ａに連通させ、他端を前記温水出口２５ｂに連通させて設けられた熱伝導性を有する複数本のスチーム通し管２７とからなっている。
【００４１】
なお、前記ケーシング２２内の両端部にはそれぞれ、仕切壁２２ａ，２２ｂにより区画された空室２３ａ，２３ｂが形成されており、スチーム入口２５ａは一端側の空室２３ａ内に連通し、温水出口２５ｂは他端側の空室２３ｂ内に連通している。
【００４２】
そして、前記複数本のスチーム通し管２７は、前記ケーシング２２内の仕切壁２２ａ，２２ｂ間の部分に、各スチーム通し管２７の両端部を前記仕切壁２２ａ，２２ｂに設けられた複数の貫通孔２４にそれぞれ嵌合して配置され、一端側の空室２３ａと他端側の空室２３ｂとを介してスチーム入口２５ａと温水出口２５ｂとに連通しており、前記注水口２６ａと排水口２６ｂは、前記ケーシング２２内の仕切壁２２ａ，２２ｂ間の部分の両端部にそれぞれ連通させて設けられている。
【００４３】
この凝縮器２１は、ケーシング２２の一端のスチーム入口２５ａから流入したスチームを複数本のスチーム通し管２７内に導き、そのスチームをケーシング２２内を流れる水（常温水）との熱交換により凝縮して温水化するものであり、無菌でしかも洗浄力に優れた８０〜９０度の高温の温水をケーシング２２の他端の温水出口２５ｂから送出する。
【００４４】
一方、前記スチーム供給管２０は、スチーム供給バルブ２８を介して流体供給管２９に接続されており、前記凝縮器２１は、前記スチーム供給管２０から分岐された分岐管２０ａと、前記流体供給管２９に温水供給バルブ３２を介して接続された温水供給管３１との間に、スチーム入口２５ａを前記分岐管２０ａに接続され、温水出口２５ｂを前記温水供給管３１に接続されて配置されている。
【００４５】
そして、この凝縮器２１の注水口２６ａには、給水バルブ３４を備えた給水管３３が接続され、排水口２６ｂには排水管３５が接続されている。なお、前記給水バルブ３４は、バッグ容器１への充填作業の開始前に開かれ、充填作業の終了後閉じられる常開バルブであり、前記給水管３３には、例えば市水（水道水）等の常温水が充填作業中常に供給されている。
【００４６】
また、前記流体供給管２９にはスチーム／温水供給バルブ３０が設けられており、前記スチーム供給管２０からの殺菌用スチームは、温水供給管３１のバルブ３２を閉じ、スチーム供給管２０のバルブ２８と流体供給管２９のスチーム／温水供給バルブ３０を開くことにより前記充填ヘッド１０の第１の空室１２内に供給され、前記凝縮器２１からの温水は、スチーム供給管２０のバルブ２８を閉じ、温水供給管３１のバルブ３２と流体供給管２９のスチーム／温水供給バルブ３０を開くことにより前記充填ヘッド１０の第１の空室１２内に供給されるようになっている。
【００４７】
なお、前記流体供給管２９は、前記充填ヘッド１０の第１の空室１２内に連通する流体供給口１２ａに接続されており、前記第１の空室１２内に連通する流体排出口１２ｂには、前記第１の空室１２内に供給された流体を排出する供給流体排出管３６が接続されている。
【００４８】
また、前記製品供給系３８は、図示しない製品タンク及び製品送出ポンプ等からなる製品供給源に接続された製品供給管３９からなっており、この製品供給管３９は、前記充填ヘッド１０の第２の空室１４内に連通する流体製品供給口１４ａに接続されている。
【００４９】
なお、前記製品供給管３９には、バッグ容器１への充填作業の開始時に殺菌用スチームが一定時間供給され、その後に流体製品が連続的に供給され、充填作業の終了時に洗浄用水が一定時間供給されるとともに、その後に殺菌用スチームが一定時間供給されるようになっている。
【００５０】
さらに、前記充填ヘッド１０のシールド室１８内に連通するスチーム供給口１８ａと排出口１８ｂには、前記シールド室１８内にシールド用スチームを供給するシールドスチーム供給管４０と、前記シールド室１８内のシールド用スチームを排出するシールドスチーム排出管４２とが接続されている。なお、前記シールドスチーム供給管４０は、前記スチーム供給管２０から分岐されている。
【００５１】
前記シールドスチーム供給管４０とシールドスチーム排出管４２にはそれぞれ、バッグ容器１への充填作業の開始前に開かれ、充填作業の終了後閉じられる常開バルブ４１，４３が設けられており、前記充填ヘッド１０内にスライド可能に挿入されたロッド１６のスライド部は、バッグ容器１への充填作業中、常に前記シールド室１８内のスチームによりシールドされるようになっている。
【００５２】
さらに、この充填装置は、前記充填ヘッド１０の第１の空室１２内に除菌エアーを供給するエアー供給系４４を備えている。
【００５３】
このエアー供給系４４は、バルブ４６を備えたエアー供給管４５からなっており、前記エアー供給管４５の一端は、除菌用エアーフィルタを介してコンプレッサ等のエアー源（図示せず）に接続され、他端は前記流体供給管２９のスチーム／温水供給バルブ３０よりも下流側（充填ヘッド１０側）に接続されている。
【００５４】
また、このエアー供給系４４は、前記充填ヘッド１０の第１の空室１２内に、前記流体製品Ａに対して無害な気体、例えば窒素ガスＮ２（窒素）ガスを供給するＮ２ガス供給系を兼ねており、前記エアー供給管４５の一端には、ガスボンベ等のＮ２ガス源（図示せず）が流路切換えバルブを介して接続されている。
【００５５】
なお、前記除菌用エアーフィルタは、前記エアー源からの加圧エアー及びＮ２ガス源からのＮ２ガスを除菌して前記エアー供給管４５に供給するために、前記流路切換えバルブよりも下流側に設けられている。
【００５６】
次に、前記充填装置によるバッグ容器１への流体製品Ａの充填方法を説明すると、図５は、この実施例の充填方法を示す充填工程図であり、前記バッグ容器１への流体製品Ａの充填は次のような手順で行なう。
【００５７】
まず、前記充填ヘッド１０を、弁部材１５を図２の位置、つまり弁部１３を閉塞するとともにメンブレンカッタ１７を第１の空室１２内に引込んだ位置に移動させた状態で、バッグ容器１の注入口３の先端に気密状態に当接させ、注入口３を図示しない注入口固定機構により充填ヘッド１０に固定する。
【００５８】
このときは、スチーム供給管２０のバルブ２８と、流体供給管２９及び供給流体排出管３６のバルブ３０，３７と、温水供給管３１のバルブ３２と、エアー供給管４５のバルブ４６は閉じられている。
【００５９】
また、前記給水管３３の給水バルブ３４は、上述したように、バッグ容器１への充填作業の開始前に開かれ、充填作業の終了後閉じられる常開バルブであり、前記スチーム供給管２０から分岐管２０ａを介して前記凝縮器２１に供給された殺菌用スチームは、水（市水）との熱交換により温水化されて凝縮器２１及び温水供給管３１内に留まっている。
【００６０】
前記充填ヘッド１０をバッグ容器１の注入口３の先端に気密状態に当接させた後は、この充填ヘッド１０の弁部１３を閉塞した状態で、スチーム供給管２０のバルブ２８と流体供給管２９及び供給流体排出管３６のバルブ３０，３７を開き、前記スチーム供給管２０からの殺菌用スチームを充填ヘッド１０の第１の空室１２に供給し、そのスチームを供給流体排出管３６から排出することにより、前記第１の空室１２に殺菌用スチームを流して前記第１の空室１２内及びバッグ容器１の注入口の第１メンブレン５の外面をスチーム殺菌する。
【００６１】
次に、前記スチーム供給管２０のバルブ２８と流体供給管２９及び供給流体排出管３６のバルブ３０，３７を閉じて、充填ヘッド１０への殺菌用スチームの供給及び排出を停止し、その後に、充填ヘッド１０の弁部材１５を弁部１３を閉塞するとともにメンブレンカッタ１７を注入口当接部１１よりも下方に突出させた位置に移動させて、前記メンブレンカッタ１７により前記注入口３の第１メンブレン５を切り裂く。
【００６２】
次に、前記弁部材１５を第２の空室１４内に引込んで弁部１３を開放することにより、前記製品供給管３９から充填ヘッド１０の第２の空室１４内に流体製品Ａを流入させ、その流体製品Ａを前記充填ヘッド１０の第１の空室１２内と、バッグ容器１の注入口３の口部材４内及び第２メンブレン６の非溶着部を通してバッグ容器１内に充填する。
【００６３】
そして、バッグ容器１内に所定量の流体製品Ａを充填した後は、前記弁部材１５を図２の位置に再び移動させて充填ヘッド１０の弁部１３を閉塞し、流体製品Ａの充填を停止する。
【００６４】
次に、前記充填ヘッド１０に対向させて配置された図示しないシールヘッドにより、バッグ容器１の注入口３に対応する部分を前記注入口３を設けた側とは反対側から押し潰して前記注入口３の第２メンブレン６の外周部を口部材４の基端面に押し付け、その状態で前記シールヘッドにより前記第２メンブレン６の全周を前記口部材４の基端面に溶着して前記口部材４の基端開口面を第２メンブレン６により密閉することにより前記注入口３をシールする。
【００６５】
この注入口シールは、供給流体排出管３６のバルブを開き、前記Ｎ２ガス源からＮ２ガスをエアー供給管４５に供給するとともに、前記エアー供給管４５のバルブ４６を開いて前記エアーフィルタにより除菌されたＮ２ガスを充填ヘッド１０の第１の空室１２に供給し、そのＮ２ガスを前記供給流体排出管３６から排出することにより、前記第１の空室１２にＮ２ガスを流しながら行なう。このＮ２ガスの供給は、前記口部材４への第２メンブレン６の押し付け前から前記第２メンブレン６の溶着開始までの間の任意の時期に開始する。
【００６６】
このように、注入口シールを、充填ヘッド１０の第１の空室１２に除菌されたＮ２ガスを流しながら行なうと、前記充填ヘッド１０の第１の空室１２内及びバッグ容器１の注入口３内に残った流体製品Ａの一部がＮ２ガスと一緒に供給流体排出管３６から排出され、また、前記注入口３の口部材４の基端面と第２メンブレン６の非溶着部との間に残った流体製品Ａは、前記Ｎ２ガスのガス圧によりバッグ容器１内に押し込まれる。そのため、前記第２メンブレン６の全周を口部材４の基端面に、その間に流体製品Ａを介在させることなく確実に溶着することができる。
【００６７】
このとき、前記バッグ容器１内にある程度の量のＮ２ガスが入り込むが、Ｎ２ガスは不活性であり、しかも前記エアーフィルタにより除菌されているため、バッグ容器１内に僅かな空間を生じさせるだけで、充填された流体製品Ａの品質を変質させたり劣化させたりすることは無い。
【００６８】
前記注入口シールを行なった後は、前記エアー供給管４５のバルブ４６を閉じてＮ２ガス供給を停止し、供給流体排出管３６のバルブ３７を開状態としたまま、流体供給管２９のスチーム／温水供給バルブ３０と温水供給管３１のバルブ３２を開き、スチーム供給管２０からの殺菌用スチームを凝縮器２１により温水化した洗浄用水を充填ヘッド１０の第１の空室１２に供給し、その温水を供給流体排出管３６から排出することにより、前記第１の空室１２に温水を流して、この第１の空室１２内及びバッグ容器１の注入口３内を所定時間洗浄する。
【００６９】
なお、このとき、洗浄初期には前記凝縮器２１及び温水供給管３１内に留まっていた温度降下の大きい温水が充填ヘッド１０に供給されるが、それ以後は、８０〜９０度の高温の温水が供給される。
【００７０】
この温水洗浄は、前記流体製品Ａの粘度に応じて、前記充填ヘッド１０の第１の空室１２内及びバッグ容器１の注入口３内に残った流体製品Ａのほとんどを洗い流すことができる時間行なう。
【００７１】
次に、温水供給管３１のバルブ３２を閉じて温水洗浄を停止し、流体供給管２９のスチーム／温水供給バルブ３０を閉じ、供給流体排出管３６のバルブ３７を開状態としたまま、前記エアー源から加圧エアーをエアー供給管４５に供給するとともに前記エアー供給管４５のバルブ４６を開き、前記エアーフィルタにより除菌された加圧エアーを充填ヘッド１０の第１の空室１２に供給し、そのエアーを供給流体排出管３６から排出することにより、前記第１の空室１２にエアーを流して、この第１の空室１２内及びバッグ容器１の注入口３内を所定時間エアーフラッシングする。
【００７２】
このエアーフラッシングは、前記温水洗浄後に前記充填ヘッド１０の第１の空室１２内及びバッグ容器１の注入口３内に残った洗浄済み温水を除去するために行なうが、その時間は極く短くてよい。また、このエアーフラッシングによっても、前記充填ヘッド１０の第１の空室１２内及びバッグ容器１の注入口３内に残った流体製品Ａがある程度吹き飛ばされて除去される。
【００７３】
次に、前記エアー供給管４５のバルブ４６を閉じてエアーフラッシングを停止し、前記供給流体排出管３６のバルブ３７を開状態としたまま、流体供給管２９のスチーム／温水供給バルブ３０と温水供給管３１のバルブ３２を再び開き、前記凝縮器２１からの温水を充填ヘッド１０の第１の空室１２に供給し、その温水を供給流体排出管３６から排出することにより、前記第１の空室１２に温水を流して、この第１の空室１２内及びバッグ容器１の注入口３内を所定時間再洗浄する。
【００７４】
この２回目の温水洗浄は、前記流体製品Ａの粘度に応じて、前記注入口シール後の１回目の温水洗浄及びその後のエアーフラッシングで除去し切れなかった残留物を完全に洗い流すことができる時間行なう。
【００７５】
次に、流体供給管２９及び供給流体排出管３６のバルブ３０，３７を開いたまま、温水供給管３１のバルブ３２を閉じ、スチーム供給管２０のバルブ２８を開くことにより、スチーム供給管２０からの殺菌用スチームを充填ヘッド１０の第１の空室１２に供給し、そのスチームを供給流体排出管３６から排出することにより、前記第１の空室１２に殺菌用スチームを流して、この第１の空室１２内及びバッグ容器１の注入口３内をスチームフラッシングする。
【００７６】
このスチームフラッシングは、前記２回目の温水洗浄後に前記充填ヘッド１０の第１の空室１２内及びバッグ容器１の注入口３内に残った温水を除去するために行なうが、その時間は極く短くてよく、したがって、スチームの熱によりバッグ容器１の注入口３のシール性が低下することはない。
【００７７】
前記スチームフラッシングを行なった後は、前記シールヘッドを後退させるとともに前記充填ヘッド１０をバッグ容器１の注入口３から切離してバッグ容器１を搬出する。
【００７８】
上述したように、この充填方法は、充填ヘッド１０をバッグ容器１の注入口３の先端に当接させ、前記充填ヘッド１０の弁部１３を閉塞した状態でその第１の空室１２に殺菌用スチームを流して前記第１の空室１２内及びバッグ容器１の注入口３の第１メンブレン５の外面をスチーム殺菌し、次いでメンブレンカッタ１７により前記注入口３の第１メンブレン５を切り裂いた後に、前記充填ヘッド１０の弁部１３を開放し、この充填ヘッド１０の第２の空室１４に流体製品Ａを供給してその流体製品Ａをバッグ容器１内に充填し、その後に前記充填ヘッド１０の弁部１３を閉塞して、前記バッグ容器１の注入口３をその口部材４の基端面への第２メンブレン６の全周溶着によりシールし、さらにその後に、前記充填ヘッド１０の第１の空室１２に洗浄用水を流して前記第１の空室１２内及びバッグ容器１の注入口３内を洗浄し、次いで前記充填ヘッド１０の第１の空室１２に除菌エアーを流して前記第１の空室１２内及びバッグ容器１の注入口３内をエアーフラッシングした後、前記充填ヘッド１０の第１の空室１２に再び洗浄用水を流して前記第１の空室１２内及びバッグ容器１の注入口３内を再洗浄し、次いで充填ヘッド１０の第１の空室１２に殺菌用スチームを流して前記第１の空室１２内及びバッグ容器１の注入口３内をスチームフラッシングするものであるため、バッグ容器１に流体製品Ａを充填した後に、充填ヘッド１０内及びバッグ容器１の注入口３内の残留物を短時間で完全に除去することができる。
【００７９】
すなわち、流体製品Ａを充填したバッグ容器１の注入口３内には、流体製品Ａの充填に先立って切り裂かれた第１メンブレン５が図７（ｃ）に示したように残っているため、スチームフラッシングだけで前記注入口３内の残留物も完全に除去するには、長時間のフラッシングを行なわなければならず、特に、充填製品の粘度が高い場合は、さらに長時間のフラッシングが必要になる。
【００８０】
それに対し、上記充填方法は、バッグ容器１に流体製品Ａを充填した後に、まず充填ヘッド１０の第１の空室１２に洗浄用水を流して前記第１の空室１２内及びバッグ容器１の注入口３内を水洗浄しているため、充填製品の粘度が高くても、短時間で、充填ヘッド１０の第１の空室１２内の残留物はもちろん、バッグ容器１の注入口３内の残留物もほとんど除去することができる。
【００８１】
そして、上記充填方法は、１回目の水洗浄後に、充填ヘッド１０の第１の空室１２内及びバッグ容器１の注入口３内をエアーフラッシングしているため、前記１回目の水洗浄後に前記充填ヘッド１０の第１の空室１２内及び注入口３内に残った洗浄用水を極く短時間で除去することができ、また、２回目の水洗浄後に、前記充填ヘッド１０の第１の空室１２内及びバッグ容器１の注入口３内をスチームフラッシングしているため、前記２回目の水洗浄後に前記充填ヘッド１０の第１の空室１２内及び注入口３内に残った洗浄用水を極く短時間で除去することができる。
【００８２】
そのため、上記充填方法によれば、前記バッグ容器１に流体製品Ａを充填した後に、充填ヘッド１０内及びバッグ容器１の注入口３内の残留物を短時間で完全に除去することができ、したがって、バッグ容器１への製品充填効率を上げることができる。
【００８３】
しかも、上記充填方法では、バッグ容器１に流体製品Ａを充填した後の注入口シールを、充填ヘッド１０の第１の空室１２に前記流体製品Ａに対して無害な除菌されたＮ２ガスを流しながら行なっているため、前記第２メンブレン６の全周を前記口部材４の基端面に、その間に流体製品Ａを介在させることなく確実に溶着して、前記注入口３を高い信頼度でシールすることができるとともに、前記充填ヘッド１０の第１の空室１２内及びバッグ容器１の注入口３内に残った流体製品Ａの一部を前記Ｎ２ガスの排気と一緒に排出し、前記水洗浄及びフラッシングによる残留物除去時間を短縮することができる。
【００８４】
なお、前記バッグ容器１の注入口シール時に充填ヘッド１０の第１の空室１２に流す気体は、例えば前記流体製品Ａが炭酸入り飲料である場合はＣＯ２ガスでもよく、また前記流体製品Ａが水を含む製品である場合は殺菌用スチームでもよい。
【００８５】
さらに、前記流体製品Ａが水を含む製品である場合、前記バッグ容器１の注入口シールは、前記充填ヘッド１０の第１の空室１２に、前記流体製品Ａに対して無害な他の流体を流しながら行なってもよい。その流体は、前記洗浄用温水、または前記殺菌用スチームと洗浄用温水の混合流体が好ましい。
【００８６】
また、上記充填方法では、前記水洗浄を温水により行なっているため、前記充填ヘッド１０内及びバッグ容器１の注入口３内の残留物をさらに短時間で完全に除去することができる。
【００８７】
また、上記バッグ容器用製品充填装置は、前記充填ヘッド１０と、この充填ヘッド１０の第１の空室１２内に殺菌用スチームと洗浄用温水とを選択的に供給する殺菌／洗浄系１９と、前記第１の空室内に供給された流体を排出する供給流体排出管と、前記充填ヘッド１０の第２の空室１４内に流体製品Ａを供給する製品供給系３８とを備え、前記殺菌／洗浄系１９を、スチーム供給管２０と、前記スチーム供給管２０からの殺菌用スチームを水との熱交換により凝縮して温水化する凝縮器２１と、前記凝縮器２１に水を供給する給水管３３と、前記スチーム供給管２０からの殺菌用スチーム及び前記凝縮器２１からの温水を前記充填ヘッド１０の第１の空室１２内に供給する流体供給管２９とにより構成したものであるため、バッグ容器１に流体製品Ａを充填した後に、充填ヘッド１０の第１の空室１２内及びバッグ容器１の注入口３内を、洗浄力の高い温水により洗浄するとともに、その後に殺菌用スチームによりフラッシングすることができ、したがって、バッグ容器１に流体製品Ａを充填した後に、その注入口３内の残留物を短時間で完全に除去することができる。
【００８８】
しかも、この充填装置は、前記殺菌／洗浄系１９に、スチーム供給管２０からの殺菌用スチームを水との熱交換により凝縮して温水化する凝縮器２１を設けたものであるため、前記殺菌用スチームから洗浄用温水を得、無菌でしかも洗浄力に優れた高温の温水により充填ヘッド１０内及びバッグ容器１の注入口３内を洗浄することができるとともに、充填装置に付随する他の設備費を軽減することができる。
【００８９】
すなわち、前記洗浄用温水は、他の温水源から前記スチーム供給管２０を利用して充填ヘッド１０に供給してもよいが、そのためには、上記充填装置に付随する設備として、
ボイラ等のスチーム源の他に、大型給湯器等の温水源を備えなければならない。
【００９０】
それに対し、上記充填装置は、スチーム源からスチーム供給管２０に供給される殺菌用スチームから洗浄用温水を得ることができるため、大型給湯器等の温水源は不要である。
【００９１】
さらに、上記充填装置は、前記凝縮器２１として、一端にスチーム入口２５ａが設けられ、他端に温水出口２５ｂが設けられるとともに、内部に水を通すための注水口２６ａと排水口２６ｂが設けられたケーシング２２と、このケーシング２２内に、一端をスチーム入口２５ａに連通させ、他端を温水出口２５ｂに連通させて設けられた熱伝導性を有する複数本のスチーム通し管２７とからなる構成のものを備えているため、充填ヘッド１０内及びバッグ容器１の注入口３内の温水洗浄時に、スチーム供給管２０からの殺菌用スチームを連続的に温水化して充填ヘッド１０の第１の空室１２内に供給することができる。
【００９２】
また、上記充填装置は、前記殺菌／洗浄系１９を、スチーム供給管２０をスチーム供給バルブ２８を介して流体供給管２９に接続し、前記凝縮器２１を、前記スチーム供給管２０から分岐された分岐管２０ａと、前記流体供給管２９に温水供給バルブ３２を介して接続された温水供給管３１との間に、スチーム入口２５ａを前記分岐管に接続し、温水出口２５ｂを前記温水供給管３１に接続して配置し、この凝縮器２１の注水口２６ａに給水管３３を接続し、排水口２６ｂに排水管３５を接続した構成としているため、充填ヘッド１０内及びバッグ容器１の注入口３内の温水洗浄時に、スチーム供給バルブ２８を閉じ、温水供給バルブ３２を開くことにより、前記スチーム供給管２０からの殺菌用スチームを凝縮器２１により温水化して充填ヘッド１０の第１の空室１２内に供給し、充填ヘッド１０内及びバッグ容器１の注入口３内のスチームフラッシング時に、スチーム供給バルブ２８を開き、温水供給バルブ３２を閉じることにより、スチーム供給管２０からの殺菌用スチームを充填ヘッド１０の第１の空室１２内に供給することができる。
【００９３】
また、この充填装置は、前記充填ヘッド１０の第１の空室１２内に除菌エアーを供給するエアー供給系４４をさらに備えているため、前記充填ヘッド１０の第１の空室１２内及びバッグ容器１の注入口３内の温水洗浄後のフラッシングを、前記殺菌用スチームと除菌エアーのいずれでも行なうことができ、したがって、上記実施例の充填方法のように、バッグ容器１に流体製品Ａを充填した後、前記充填ヘッド１０の第１の空室１２に洗浄用水を流して前記第１の空室１２内及びバッグ容器１の注入口３内を洗浄し、次いで前記充填ヘッド１０の第１の空室１２に除菌エアーを流して前記第１の空室１２内及びバッグ容器１の注入口３内をエアーフラッシングした後、前記充填ヘッド１０の第１の空室１２に再び洗浄用水を流して前記第１の空室１２内及びバッグ容器１の注入口３内を再洗浄し、次いで充填ヘッド１０の第１の空室１２に殺菌用スチームを流して前記第１の空室１２内及びバッグ容器１の注入口３内をスチームフラッシングすることができる。
【００９４】
なお、前記殺菌／洗浄系１９は、上記実施例の構成に限らず、凝縮器２１を、スチーム供給管２０に介在させて配置した構成としてもよい。
【００９５】
図６はこの発明の第２の実施例を示すバッグ容器用製品充填装置の構成図であり、この充填装置は、殺菌／洗浄系１９を、スチーム供給管２０のスチーム供給バルブ２８よりも上流側の部分において切り離し、その部分に図３及び図４に示した構成の凝縮器２１を、そのスチーム入口２５ａと温水出口２５ｂとを前記スチーム供給管２０に接続して配置し、この凝縮器２１の注水口２６ａに給水バルブ３４を備えた給水管３３を接続し、排水口２６ｂに排水管３５を接続するとともに、前記排水管３５に前記凝縮器２１内の水を排出するための排水ポンプ４７を設け、前記給水管３３の給水バルブ３４よりも凝縮器２１側の部分または前記凝縮器２１のケーシング２２に、バルブ４９を備えた外気吸引管４８を接続した構成としたものである。
【００９６】
なお、この充填装置の殺菌／洗浄系１９以外の構成は上述した第１の実施例と同じであるから、重複する説明は図に同符号を付して省略する。
【００９７】
この実施例の充填装置は、殺菌／洗浄系１９を上記のような構成としているため、前記凝縮器２１のケーシング２２内を排水と外気吸入により空にすることにより、スチーム供給管２０からの殺菌用スチームをそのまま凝縮器２１を通して充填ヘッド１０に供給するとともに、前記凝縮器２１内に注水することにより、前記スチーム供給管２０からの殺菌用スチームを凝縮器２１により温水化して充填ヘッド１０に供給することができ、したがって、上述した充填方法によるバッグ容器１への流体製品Ａの充填を行なうことができる。
【００９８】
なお、上記実施例の充填方法では、バッグ容器１に流体製品Ａを充填した後の注入口シールを、充填ヘッド１０の第１の空室１２に前記流体製品Ａに対して無害な流体を流しながら行なっているが、バッグ容器１への充填製品が注入口３のシール性に影響を及ぼさない場合は、前記注入口シールを、充填ヘッド１０の第１の空室１２に無害流体を供給せずに行なってもよい。
【００９９】
また、上記実施例では、バッグ容器１に流体製品Ａを充填した後の充填ヘッド１０の第１の空室１２内及びバッグ容器１の注入口内の水洗浄を、スチーム供給管２０からの殺菌用スチームを凝縮器２１により温水化した洗浄用水により行なっているが、前記水洗浄は、前記凝縮器２１を備える代わりに、大型給湯器等の温水源からの温水をスチーム供給管２０を利用して充填ヘッド１０に供給することにより行なってもよい。
【０１００】
さらに、前記水洗浄は、温水洗浄に限らず、例えば市水（水道水）等の常温水をスチーム供給管２０を利用して充填ヘッド１０に供給することにより行なってもよい。
【０１０１】
また、上記実施例の充填方法では、バッグ容器１に流体製品Ａを充填した後の充填ヘッド１０の第１の空室１２内及びバッグ容器１の注入口３内の洗浄とフラッシングを、１回目水洗浄→エアーフラッシング→２回目水洗浄→スチームフラッシングの順で行なっているが、１回目水洗浄後のフラッシングと２回目水洗浄後のフラッシングは、その両方をエアーフラッシングとしても、両方をスチームフラッシングとしてもよい。
【０１０２】
なお、上述したように、バッグ容器１の注入口シールを無害流体を供給せずに行ない、、また、前記１回目水洗浄後のフラッシングと２回目水洗浄後のフラッシングの両方をスチームフラッシングとする場合は、前記充填装置のエアー供給系４４は不要である。
【０１０３】
また、前記バッグ容器１に充填する流体製品Ａの粘度が比較的低い場合は、バッグ容器１に流体製品Ａを充填した後の充填ヘッド１０の第１の空室１２内及びバッグ容器１の注入口３内の洗浄とフラッシングを、１回の水洗浄とその後の１回のエアーまたはスチームフラッシングだけにしてもよい。
【０１０４】
ただし、前記バッグ容器１に流体製品Ａを充填した後の充填ヘッド１０の第１の空室１２内及びバッグ容器１の注入口３内の洗浄とフラッシングは、少なくとも２回以上繰返すのが望ましく、このようにすることにより、前記充填ヘッド１０内及びバッグ容器１の注入口３内の残留物をより完全に除去することができる。
【図面の簡単な説明】
【０１０５】
【図１】この発明の第１の実施例を示すバッグ容器用製品充填装置の構成図。
【図２】充填ヘッドの断面図。
【図３】凝縮器の長さ方向に沿う断面図。
【図４】凝縮器の径方向に沿う断面図。
【図５】バッグ容器への流体製品の充填工程図。
【図６】この発明の第２の実施例を示すバッグ容器用製品充填装置の構成図。
【図７】バッグ容器の製品充填前、製品充填中及び注入口シール後の状態の断面図。
【符号の説明】
【０１０６】
１…バッグ容器、２…バッグ本体、３…注入口、４…口部材、５…第１メンブレン、６…第２メンブレン、７…注入口取付孔、Ａ…流体製品、１０…充填ヘッド、１１…注入口当接部、１２…第１の空室、１３…弁部、１４…第２の空室、１５…弁部材、１７…メンブレンカッタ、１９…殺菌／洗浄系、２０…スチーム供給管、２０ａ…分岐管、２１…凝縮器、２２…ケーシング、２５ａ…スチーム入口、２５ｂ…温水出口、２６ａ…注水口、２６ａ…排水口、２７…スチーム通し管、２９…流体供給管、３６…供給流体排出管、３９…製品供給系、４４…エアー供給系。
【図１】
2006188251.tif 000003
【図２】
2006188251.tif 000004
【図３】
2006188251.tif 000005
【図４】
2006188251.tif 000006
【図５】
2006188251.tif 000007
【図６】
2006188251.tif 000008
【図７】
2006188251.tif 000009